(57)【特許請求の範囲】
【請求項１】
翼付針（１０）に装着するための針カバー（１）であって、
前記翼付針（１０）は、針（１２）と針基（１３）と翼（１４）を有し、
前記針基（１３）は、長手方向と、当該長手方向と略垂直に交差する側部方向を有し、
前記長手方向は前方部と後方部とを有し、前記側部方向は上部及び底部と、当該上部及び底部と略垂直に交わる第１側部と第２側部とを有し、
前記針（１２）の後方部を前記針基（１３）の前方部に装着し、前記針基（１３）の第１側部と第２側部の両側部に第１翼部と第２翼部とを有する翼部（１４）を突設して形成し、
前記翼部（１４）は、長手方向と、当該長手方向と略垂直に交差する側部方向を有し、
前記長手方向は前方部と後方部とを有し、
前記針基（１３）の前方部外周面に針キャップ（１６）を装着し、前記針基（１３）の長手方向の後方部にチューブ（１５）を装着し、
前記針カバー（１）は、長手方向と、当該長手方向と略垂直に交差する側部方向を有し、
前記長手方向は、前方部と後方部と有し、前記側部方向は、上部及び底部と、当該上部及び底部と略垂直に交わる第１側部と第２側部とを有し、
前記長手方向に前方部（２）、中腹部（３）及び後方部（４）を有し、
前記中腹部（３）の底部に開口部（５）を形成し、前記前方部（２）から前記後方部（４）の上部外面に亘って少なくとも二個以上の凸部（７ａ、７ｂ、７ｃ）を形成し、
前記中腹部（３）の第１側部と第２側部の両側部に、ストッパー（８）を、それぞれ翼状に突出して第１側部ストッパー及び第２側部ストッパーとして形成し、
前記後方部（４）の底部に、前記長手方向に沿ってスリット（９）を形成し、
前記第１側部ストッパー及び前記第２側部ストッパーは、前記後方部（４）側の端部に切欠部（８ａ）を形成し、前記後方部（４）側に向けて傾斜するように形成し、
前記針カバー（１）の底部から、前記翼付針（１０）の針（１２）と針基（１３）とが、前記開口部（５）を経て、前記針カバー（１）の内部に収納されるとともに、前記チューブ（１５）が前記スリット（９）を経て後方部に装着され、
前記翼付針（１０）が、前記針カバー（１）の内部に装着された状態では、前記針（１２）が前記針キャップ（１６）に被冠された状態に維持され、前記針キャップ（１６）をはずすことにより、前記翼付針（１０）の針（１２）が露出され、前記翼付針（１０）を前記針カバー（１）の後方部方向にスライドさせることにより前記翼付針（１０）の針（１２）は前記針カバー（１）内に収納され、
前記第１側部ストッパー及び第２側部ストッパーに対応する前記翼付針（１０）の第１翼部及び第２翼部を、上部側に折り曲げることにより、当該第１翼部及び第２翼部と、前記針カバー（１）の第１側部ストッパー及び第２側部ストッパーとを交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（１）。
【請求項２】
前記請求項１に記載の針カバー（１）のストッパー（８）のかわりに、当該ストッパー（８）と異なる形態のストッパー（８Ａ）を有し、
前記異なる形態のストッパー（８Ａ）は、前記第１側部ストッパー及び前記第２側部ストッパーのそれぞれ前記後方部（４）側の端部に突部（８ｂ、８ｂ）を突設し、
前記第１側部ストッパー及び前記第２側部ストッパーは、底部側に折り曲げることにより、前記突部（８ｂ、８ｂ）を、当該第１側部ストッパー及び第２側部ストッパーに対応する前記翼付針（１０）の第１翼部及び第２翼部と交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（１１）。
【請求項３】
前記請求項１に記載の針カバー（１）のストッパー（８）のかわりに、当該ストッパー（８）と異なる形態のストッパー（８Ｂ）を有し、
前記異なる形態のストッパー（８Ｂ）は、略四角形状に形成され、
前記第１側部ストッパー及び前記第２側部ストッパーは、底部側に折り曲げることにより、当該第１側部ストッパー及び第２側部ストッパーを、当該第１側部ストッパー及び第２側部ストッパーに対応する前記翼付針（１０）の第１翼部及び第２翼部と交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（２１）。
【請求項４】
前記請求項１に記載の針カバー（１）のストッパー（８）のかわりに、当該ストッパー（８）と異なる形態のストッパー（８Ｃ）を有し、
前記異なる形態のストッパー（８Ｃ）は、前記第１側部ストッパーに、前記前方部（２）側の端部に切欠部（８ｄ）を形成し、前記第２側部ストッパーに前記後方部（４）側の端部に切欠部（８ｄ）を形成し、
前記第１側部ストッパー及び前記第２側部ストッパーを、底部側に折り曲げて、前記切欠部（８ｄ、８ｄ）を相互にかみ合わせて係止し、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（３１）。
【請求項５】
前記請求項１に記載の針カバー（１）のストッパー（８）のかわりに、当該ストッパー（８）と異なる形態のストッパー（８Ｄ）を有し、
前記異なる形態のストッパー（８Ｄ）は、前記第１側部ストッパーに、突部（８ｅ）を形成し、前記第２側部ストッパーに溝部（８ｆ）を形成し、
前記第１側部ストッパー及び前記第２側部ストッパーを、底部側に折り曲げて、前記突部（８ｅ）と前記溝部（８ｆ）を嵌合し、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（４１）。
【請求項６】
前記請求項１に記載の針カバー（１）のストッパー（８）のかわりに、当該ストッパー（８）と異なる形態のストッパー（８Ｅ）を有し、
前記異なる形態のストッパー（８Ｅ）は、前記第１側部ストッパーに、長手方向に溝部（８ｈ）を有する側板（８ｇ）を形成し、
前記第１側部ストッパー及び前記第２側部ストッパーを、底部側に折り曲げて、前記第２側部ストッパーの長手方向の端部（８ｉ）を、前記溝部（８ｆ）に嵌合し、
これにより前記翼付針（１０）が、前記針カバー（１）の前方部方向にスライドすることなく、前記翼付針（１０）の針（１２）が、前記針カバー（１）から外に露出しない状態を維持することができることを特徴とする針カバー（５１）。
【請求項７】
請求項１から請求項６の中から選ばれるいずれか１つの前記針カバー（１、１１、２１、３１、４１、５１）の前記前方部（２）先端にキャップ（１８）を着脱可能に装着したことを特徴とするキャップ付針カバー（７１）。
【請求項８】
請求項１から請求項６の中から選ばれるいずれか１つの前記針カバー（１、１１、２１、３１、４１、５１）の前記前方部（２）に肉薄部（２８ａ）を介してキャップ（２８）を一体に成形したことを特徴とするキャップ付針カバー（８１）。
【請求項９】
請求項１から請求項６の中から選ばれるいずれか１つの前記針カバー（１、１１、２１、３１、４１、５１）と、請求項１に記載の翼付針（１０）とを有し、
前記針カバー（１、１１、２１、３１、４１、５１）の底部から、前記翼付針（１０）の前記針（１２）と前記針基（１３）とを、前記開口部（５）を経て、前記針カバー（１、１１、２１、３１、４１、５１）の内部に収納するとともに、前記チューブ（１５）を前記スリット（９）を経て前記後方部（４）に装着し、
前記針カバー（１、１１、２１、３１、４１、５１）の前記前方部（２）内周面に、前記針キャップ（１６）基部の外周面が接することにより、
前記翼付針（１０）が前記針カバー（１、１１、２１、３１、４１、５１）に固定されるとともに前記針（１２）が前記針キャップ（１６）に被冠された状態に維持することができることを特徴とする針カバー付翼付針（１Ａ、１１Ａ）。
【請求項１０】
請求項７または請求項８に記載のキャップ付針カバー（７１、８１）と、請求項１に記載の翼付針（１０）とを有し、
前記キャップ付針カバー（７１、８１）の底部から、
前記翼付針（１０）の前記針（１２）と前記針基（１３）とを、前記開口部（５）を経て、前記キャップ付針カバー（７１、８１）の内部に収納するとともに、前記チューブ（１５）を前記スリット（９）を経て前記後方部（４）に装着し、
前記キャップ付針カバー（７１、８１）の前記前方部（２）内周面に、前記針キャップ（１８、２８）基部の外周面が接することにより、
前記翼付針（１０）が前記キャップ付針カバー（７１、８１）に固定されるとともに前記針（１２）が前記針キャップ（１８、２８）に被冠された状態に維持することができることを特徴とする針カバー付翼付針（２１Ａ、３１Ａ）。
【請求項１１】
前記請求項９に記載の針カバー付翼付針（１Ａ、１１Ａ）において、
前記翼付針（１０）は、前記針カバー（１、１１、２１、３１、４１、５１）の開口部（５）及び前記スリット（９）を経て前記針カバー（１、１１、２１、３１、４１、５１）の内部に装着した状態では、
前記針キャップ（１６）基部の外周面が前記前方部（２）内周面に接することにより固定されるとともに前記針（１２）が前記針キャップ（１６）に被冠された状態に維持され、
前記針キャップ（１６）をはずすことにより、翼付針（１０）の針（１２）が露出され、
前記翼付針（１０）を前記針カバー（１、１１、２１、３１、４１、５１）の後方部（４）方向にスライドさせることにより前記翼付針（１０）の針（１２）は前記針カバー（１、１１、２１、３１、４１、５１）内に収納され、
〈ａ〉前記翼部（１４）の両翼を上部側に折り曲げる、または
〈ｂ〉前記ストッパー（８Ａ、８Ｂ、８Ｃ、８Ｄ、８Ｅ）の第１側部ストッパー及び第２側部ストッパーを、底部側に折り曲げることにより、
前記翼部（１４）は前記ストッパー（８、８Ａ、８Ｂ、８Ｃ、８Ｄ、８Ｅ）に係止され、前記翼付針（１０）が前記針カバー（１、１１、２１、３１、４１、５１）の前方部（２）方向にスライドすることがなく、前記翼付針（１０）の針（１２）が前記針カバー（１、１１、２１、３１、４１、５１）より露出しない状態を維持することができることを特徴とする針カバー付翼付針（１Ａ、１１Ａ）。
【請求項１２】
前記請求項１０に記載の針カバー付翼付針（２１Ａ、３１Ａ）において、
前記翼付針（１０）はキャップ付針カバー（７１、８１）の開口部（５）及びスリット（９）を経てキャップ付針カバー（７１、８１）内に装着した状態では、
前記針基（１３）前方外周面が前記キャップ付針カバー（７１、８１）前方部（２）内周面と接することにより前記翼付針（１０）と前記キャップ付針カバー（７１、８１）は固定されるとともに前記針（１２）が前記キャップ付針カバー（７１、８１）に被冠された状態に維持され、
前記キャップ付針カバー（７１、８１）のキャップ（１８、２８）をはずすことにより、翼付針（１０）の針（１２）が露出され、
前記翼付針（１０）を前記キャップ付針カバー（７１、８１）の後方部４方向にスライドさせることにより前記翼付針（１０）の前記針（１２）はキャップ付針カバー（７１、８１）に収納され、
〈ａ〉前記翼部（１４）の両翼を上側に折り曲げる、または
〈ｂ〉前記ストッパー（８Ａ、８Ｂ、８Ｃ、８Ｄ、８Ｅ）の第１側部ストッパー及び第２側部ストッパーを、底部側に折り曲げることにより、
前記翼部（１４）は前記ストッパー（８、８Ａ、８Ｂ、８Ｃ、８Ｄ、８Ｅ）に係止され、
前記翼付針（１０）がキャップ付針カバー（７１、８１）の前方部（２）方向にスライドすることがなく、翼付針（１０）の針（１２）がキャップ付針カバー（７１、８１）より露出しない状態を維持できることを特徴とする針カバー付翼付針（２１Ａ、３１Ａ）。
【発明の詳細な説明】
【０００１】
【発明の属する技術分野】
本発明は透析や輸液に使用される翼付針（例えばＰＳＶ、ＡＶＦ等）、に装着する針カバー及びキャップ付針カバー並びに針カバー付翼付針の改良に関するもので、針の保護性、操作性、安全性を向上させた発明に関する。
【０００２】
【従来の技術及び発明が解決しようとする課題】
周知のように翼付針や採血針等の医療用針に装着する針キャップは、円筒形状またはテーパー付の円筒形状に形成され、針先の保護や前記医療用針を廃棄する時、安全のために再キャップをするために使用されている。しかしこれらの針キャップは廃棄するまでの問題点として、再び針に針キャップを取り付ける時、作業者の指を誤って刺したり、また針キャップを取り付けずに廃棄すれば血液が付着した針で、作業者が作業中に誤って刺してしまう危険性があった。
またアメリカ特許５，１１２，３１１号、５，４３３，７０３号、５，５６２，６３６号、５，５６２，６３７号には、針カバーの両側部に翼付針の両翼を固定するスリットを形成し、針の使用後、両翼をスリットの位置と形状にあわせてスライドして固定し、針を針カバー内に収納する発明が提案されている。しかしながら、これらの発明においても（１）針カバーを翼付針に装着する際の組み立て容易性と安定性、（２）針カバー付翼付針を患者に穿刺する時の操作性、（３）針の使用後に針カバーを被冠する時の操作性等についてさらに改良の余地があった。
【０００３】
【課題を解決するための手段】
そこで本発明者は以上の課題を解決するために鋭意検討を重ねた結果次の発明に到達した。
本発明の目的は針カバーを翼付針に装着する際の組み立て容易性と安定性の向上した針カバー及びキャップ付針カバー並びに針カバー付翼付針を提供することである。
本発明のその他の目的は針を使用した後に針カバーを被冠する時に操作性の良い針カバー及びキャップ付針カバー並びに針カバー付翼付針を提供することである。
本発明のその他の目的は使用前は針を安定して保護でき、使用後は針が露出することのない安全な針カバー及びキャップ付針カバー並びに針カバー付翼付針を提供することである。
本発明のその他の目的は患者に穿刺する時の操作性の良い針カバー及びキャップ付針カバー並びに針カバー付翼付針を提供することである。
［１］本発明は、翼付針（１０）に装着するための針カバー（１）であって、
前記翼付針（１０）は、針（１２）と針基（１３）と翼（１４）を有し、
前記針基（１３）は、長手方向と、当該長手方向と略垂直に交差する側部方向を有し、
前記長手方向は前方部と後方部とを有し、前記側部方向は上部及び底部と、当該上部及び底部と略垂直に交わる第１側部と第２側部とを有し、
前記針（１２）の後方部を前記針基（１３）の前方部に装着し、前記針基（１３）の第１側部と第２側部の両側部に第１翼部と第２翼部とを有する翼部（１４）を突設して形成し、
前記翼部（１４）は、長手方向と、当該長手方向と略垂直に交差する側部方向を有し、
前記長手方向は前方部と後方部とを有し、
前記針基（１３）の前方部外周面に針キャップ（１６）を装着し、前記針基（１３）の長手方向の後方部にチューブ（１５）を装着し、
前記針カバー（１）は、長手方向と、当該長手方向と略垂直に交差する側部方向を有し、
前記長手方向は、前方部と後方部と有し、前記側部方向は、上部及び底部と、当該上部及び底部と略垂直に交わる第１側部と第２側部とを有し、
前記長手方向に前方部（２）、中腹部（３）及び後方部（４）を有し、
前記中腹部（３）の底部に開口部（５）を形成し、前記前方部（２）から前記後方部（４）の上部外面に亘って少なくとも二個以上の凸部（７ａ、７ｂ、７ｃ）を形成し、
前記中腹部（３）の第１側部と第２側部の両側部に、ストッパー（８）を、それぞれ翼状に突出して第１側部ストッパー及び第２側部ストッパーとして形成し、
前記後方部（４）の底部に、前記長手方向に沿ってスリット（９）を形成し、
前記第１側部ストッパー及び前記第２側部ストッパーは、前記後方部（４）側の端部に切欠部（８ａ）を形成し、前記後方部（４）側に向けて傾斜するように形成し、
前記針カバー（１）の底部から、前記翼付針（１０）の針（１２）と針基（１３）とが、前記開口部（５）を経て、前記針カバー（１）の内部に収納されるとともに、前記チューブ（１５）が前記スリット（９）を経て後方部に装着され、
前記翼付針（１０）が、前記針カバー（１）の内部に装着された状態では、前記針（１２）が前記針キャップ（１６）に被冠された状態に維持され、前記針キャップ（１６）をはずすことにより、前記翼付針（１０）の針（１２）が露出され、前記翼付針（１０）を前記針カバー（１）の後方部方向にスライドさせることにより前記翼付針（１０）の針（１２）は前記針カバー（１）内に収納され、
前記第１側部ストッパー及び第２側部ストッパーに対応する前記翼付針（１０）の第１翼部及び第２翼部を、上部側に折り曲げることにより、当該第１翼部及び第２翼部と、前記針カバー（１）の第１側部ストッパー及び第２側部ストッパーとを交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができる針カバー（１）を提供する。
［２］本発明は、前記［１］に記載の針カバー（１）のストッパー（８）のかわりに、当該ストッパー（８）と異なる形態のストッパー（８Ａ）を有し、
前記異なる形態のストッパー（８Ａ）は、前記第１側部ストッパー及び前記第２側部ストッパーのそれぞれ前記後方部（４）側の端部に突部（８ｂ、８ｂ）を突設し、
前記第１側部ストッパー及び前記第２側部ストッパーは、底部側に折り曲げることにより、前記突部（８ｂ、８ｂ）を、当該第１側部ストッパー及び第２側部ストッパーに対応する前記翼付針（１０）の第１翼部及び第２翼部[前方底端部]と交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができる、針カバー（１１）を提供する。
［３］本発明は、前記［１］に記載の針カバー（１）のストッパー（８）のかわりに、当該ストッパー（８）と異なる形態のストッパー（８Ｂ）を有し、
前記異なる形態のストッパー（８Ｂ）は、略四角形状に形成され、
前記第１側部ストッパー及び前記第２側部ストッパーは、底部側に折り曲げることにより、当該第１側部ストッパー及び第２側部ストッパー[後方上端部]を、当該第１側部ストッパー及び第２側部ストッパーに対応する前記翼付針（１０）の第１翼部及び第２翼部［前方底端部］と交差させて係止することができ、
これにより前記翼付針（１０）が、前記針カバー（１）の前方部方向にスライドすることなく、前記翼付針（１０）の針（１２）が、前記針カバー（１）から外に露出しない状態を維持することができる、針カバー（２１）を提供する。
［４］前記［１］に記載の針カバー（１）のストッパー（８）のかわりに、当該ストッパー（８）と異なる形態のストッパー（８Ｃ）を有し、
前記異なる形態のストッパー（８Ｃ）は、前記第１側部ストッパーに、前記前方部（２）側の端部に切欠部（８ｄ）を形成し、前記第２側部ストッパーに前記後方部（４）側の端部に切欠部（８ｄ）を形成し、
前記第１側部ストッパー及び前記第２側部ストッパーを、底部側に折り曲げて、前記切欠部（８ｄ、８ｄ）を相互にかみ合わせて係止し、
これにより前記翼付針（１０）が、前記針カバー（１）の前方部方向にスライドすることなく、前記翼付針（１０）の針（１２）が、前記針カバー（１）から外に露出しない状態を維持することができる、針カバー（３１）を提供する。
［５］本発明は、前記［１］に記載の針カバー（１）のストッパー（８）のかわりに、当該ストッパー（８）と異なる形態のストッパー（８Ｄ）を有し、
前記異なる形態のストッパー（８Ｄ）は、前記第１側部ストッパーに、突部（８ｅ）を形成し、前記第２側部ストッパーに溝部（８ｆ）を形成し、
前記第１側部ストッパー及び前記第２側部ストッパーを、底部側に折り曲げて、前記突部（８ｅ）と前記溝部（８ｆ）を嵌合し、
これにより前記翼付針（１０）が、前記針カバー（１）の前方部方向にスライドすることなく、前記翼付針（１０）の針（１２）が、前記針カバー（１）から外に露出しない状態を維持することができる、針カバー（４１）を提供する。
［６］本発明は、前記［１］に記載の針カバー（１）のストッパー（８）のかわりに、当該ストッパー（８）と異なる形態のストッパー（８Ｅ）を有し、
前記異なる形態のストッパー（８Ｅ）は、前記第１側部ストッパーに、長手方向に溝部（８ｈ）を有する側板（８ｇ）を形成し、
前記第１側部ストッパー及び前記第２側部ストッパーを、底部側に折り曲げて、前記第２側部ストッパーの長手方向の端部（８ｉ）を、前記溝部（８ｆ）に嵌合し、
これにより前記翼付針（１０）が、前記針カバー（１）の前方部方向にスライドすることなく、前記翼付針（１０）の針（１２）が、前記針カバー（１）から外に露出しない状態を維持することができる、針カバー（５１）を提供する。
［７］本発明は、［１］から［６］の中から選ばれるいずれか１つの前記針カバー（１、１１、２１、３１、４１、５１）の前記前方部（２）先端にキャップ（１８）を着脱可能に装着した、キャップ付針カバー（７１）を提供する。
［８］本発明は、［１］から［６］の中から選ばれるいずれか１つの前記針カバー（１、１１、２１、３１、４１、５１）の前記前方部（２）に肉薄部（２８ａ）を介してキャップ（２８）を一体に成形した、キャップ付針カバー（８１）を提供する。
［９］本発明は、［１］から［６］の中から選ばれるいずれか１つの前記針カバー（１、１１、２１、３１、４１、５１）と、［１］に記載の翼付針（１０）とを有し、
前記針カバー（１、１１、２１、３１、４１、５１）の底部から、前記翼付針（１０）の前記針（１２）と前記針基（１３）とを、前記開口部（５）を経て、前記針カバー（１、１１、２１、３１、４１、５１）の内部に収納するとともに、前記チューブ（１５）を前記スリット（９）を経て前記後方部（４）に装着し、
前記針カバー（１、１１、２１、３１、４１、５１）の前記前方部（２）内周面に、前記針キャップ（１６）基部の外周面が接することにより、
前記翼付針（１０）が前記針カバー（１、１１、２１、３１、４１、５１）に固定されるとともに前記針（１２）が前記針キャップ（１６）に被冠された状態に維持することができる、針カバー付翼付針（１Ａ、１１Ａ）を提供する。
［１０］本発明は、［７］または［８］に記載のキャップ付針カバー（７１、８１）と、［１］に記載の翼付針（１０）とを有し、
前記キャップ付針カバー（７１、８１）の底部から、
前記翼付針（１０）の前記針（１２）と前記針基（１３）とを、前記開口部（５）を経て、前記キャップ付針カバー（７１、８１）の内部に収納するとともに、前記チューブ（１５）を前記スリット（９）を経て前記後方部（４）に装着し、
前記キャップ付針カバー（７１、８１）の前記前方部（２）内周面に、前記針キャップ（１８、２８）基部の外周面が接することにより、
前記翼付針（１０）が前記キャップ付針カバー（７１、８１）に固定されるとともに前記針（１２）が前記針キャップ（１８、２８）に被冠された状態に維持することができる、針カバー付翼付針（２１Ａ、３１Ａ）を提供する。
［１１］本発明は、前記［９］に記載の針カバー付翼付針（１Ａ、１１Ａ）において、
前記翼付針（１０）は、前記針カバー（１、１１、２１、３１、４１、５１）の開口部（５）及び前記スリット（９）を経て前記針カバー（１、１１、２１、３１、４１、５１）の内部に装着した状態では、
前記針キャップ（１６）基部の外周面が前記前方部（２）内周面に接することにより固定されるとともに前記針（１２）が前記針キャップ（１６）に被冠された状態に維持され、
前記針キャップ（１６）をはずすことにより、翼付針（１０）の針（１２）が露出され、
前記翼付針（１０）を前記針カバー（１、１１、２１、３１、４１、５１）の後方部（４）方向にスライドさせることにより前記翼付針（１０）の針（１２）は前記針カバー（１、１１、２１、３１、４１、５１）内に収納され、
〈ａ〉前記翼部（１４）の両翼を上部側に折り曲げる、または
〈ｂ〉前記ストッパー（８Ａ、８Ｂ、８Ｃ、８Ｄ、８Ｅ）の第１側部ストッパー及び第２側部ストッパーを、底部側に折り曲げることにより、
前記翼部（１４）は前記ストッパー（８、８Ａ、８Ｂ、８Ｃ、８Ｄ、８Ｅ）に係止され、前記翼付針（１０）が前記針カバー（１、１１、２１、３１、４１、５１）の前方部（２）方向にスライドすることがなく、前記翼付針（１０）の針（１２）が前記針カバー（１、１１、２１、３１、４１、５１）より露出しない状態を維持することができる、針カバー付翼付針（１Ａ、１１Ａ）を提供する。
［１２］本発明は、前記［１０］に記載の針カバー付翼付針（２１Ａ、３１Ａ）において、
前記翼付針（１０）はキャップ付針カバー（７１、８１）の開口部（５）及びスリット（９）を経てキャップ付針カバー（７１、８１）内に装着した状態では、
前記針基（１３）前方外周面が前記キャップ付針カバー（７１、８１）前方部（２）内周面と接することにより前記翼付針（１０）と前記キャップ付針カバー（７１、８１）は固定されるとともに前記針（１２）が前記キャップ付針カバー（７１、８１）に被冠された状態に維持され、
前記キャップ付針カバー（７１、８１）のキャップ（１８、２８）をはずすことにより、翼付針（１０）の針（１２）が露出され、
前記翼付針（１０）を前記キャップ付針カバー（７１、８１）の後方部４方向にスライドさせることにより前記翼付針（１０）の前記針（１２）はキャップ付針カバー（７１、８１）に収納され、
〈ａ〉前記翼部（１４）の両翼を上側に折り曲げる、または
〈ｂ〉前記ストッパー（８Ａ、８Ｂ、８Ｃ、８Ｄ、８Ｅ）の第１側部ストッパー及び第２側部ストッパーを、底部側に折り曲げることにより、
前記翼部（１４）は前記ストッパー（８、８Ａ、８Ｂ、８Ｃ、８Ｄ、８Ｅ）に係止され、
前記翼付針（１０）がキャップ付針カバー（７１、８１）の前方部（２）方向にスライドすることがなく、翼付針（１０）の針（１２）がキャップ付針カバー（７１、８１）より露出しない状態を維持できる、針カバー付翼付針（２１Ａ、３１Ａ）を提供する。
【０００４】
【発明の実施の形態】
図１は本発明の針カバーの一例を示す概略図で（ａ）は本発明の針カバー１の正面斜視図、（ｂ）は背面斜視図、（ｃ）は同（ａ）を１８０°反対方向から見た斜視図、（ｄ）は同（ｂ）を１８０°反対方向から見た斜視図、図２は図１の針カバー１を翼付針１０（針基１３の前方に針１２を植設し、両側部に翼１４を装着し、前方外周面に針キャップ１６を装着し、後方外周面にチューブ１５を装着することにより形成されている）に装着したところの針カバー付翼付針１Ａの断面図、図３は針カバー付翼付針１Ａの使用方法の一例について時系列に示した斜視図である。図２（ａ）と図３（ａ）、図２（ｂ）と図３（ｅ）、図２（ｄ）と図３（ｆ）がそれぞれ対応している。図４（ａ）、（ｂ）はそれぞれ図３（ｆ）、（ｇ）に対応する平面図である。
本発明の針カバー１は、長手方向と、当該長手方向と略垂直に交差する側部方向を有する。長手方向は、前方部と後方部と有し、側部方向は、上部及び底部と、当該上部及び底部と略垂直に交わる第１側部と第２側部とを有する。
前記長手方向に前方部２、中腹部３及び後方部４を有する。
ストッパー８を、前記中腹部３の第１側部と第２側部の両側部に、それぞれ翼状に突出して第１側部ストッパー及び第２側部ストッパーとして形成している。
翼付針１０は、針１２と針基１３と翼１４を有する。針基１３は、長手方向と、当該長手方向と略垂直に交差する側部方向を有し、前記長手方向は前方部と後方部とを有し、前記側部方向は上部及び底部と、当該上部及び底部と略垂直に交わる第１側部と第２側部とを有する。
前記針１２の後方部を前記針基１３の前方部に装着し、前記針基１３の第１側部と第２側部の両側部に第１翼部と第２翼部とを有する翼部１４を突設して形成している。
翼部１４は、長手方向と、当該長手方向と略垂直に交差する側部方向を有し、前記長手方向は前方部と後方部とを有する。
針基１３の前方部外周面に針キャップ１６を装着し、前記針基１３の長手方向の後方部にチューブ１５を装着している。
以下の説明で、前記中腹部３の「第１側部」、「第２側部」は、わざわざ区別して記載せずに、単に「両側部」、「側部」と記載する。
また前記ストッパー８の「第１側部ストッパー」、「第２側部ストッパー」もわざわざ区別して記載せずに、単に「（翼状の）ストッパー」と記載する。
また前記翼部１４の「第１翼部」、「第２翼部」もわざわざ区別して記載せずに、単に「翼部」、「両翼」として記載する。
本発明の針カバー１は図１のように筒状に形成され、中腹部３底部に開口部５を形成し、前方部２と中腹部３と後方部４の上部外面にそれぞれ凸部７ａ、７ｂ、７ｃを形成し、前記中腹部３の両側部にストッパー８が突設されている。
前記凸部７ａ、７ｂ、７ｃは図１と図２のように略四角形状でかつ板状に形成され、凸部７ｂを除いてその針カバー１の幅方向の断面は針カバー１の断面と実質的に同一ないし大きく形成することにより、作業者が指で把持しやすい形状となっている。
【０００５】
前記ストッパー８は図１のように中腹部３の両側部に翼状に突出して形成されている。
本発明でストッパーの形状が「翼状」であるとは、要するに中腹部３の両側部に突出して、両翼を上側または下側に折り曲げ可能な板状のものを意味し、図１のような「翼状」の形態そのもののみならず後述する図６のような略四角形状や略半円形状等のものも含む。
図１ではストッパー８の形状は後方部４側の端部に切欠部８ａが形成されており、翼付針１０の翼部１４が切欠部８ａに係止しやすいようになっている。ストッパー８の形状は図１に記載したものに限定されず、要するに図３（ｇ）のように翼付針１０の翼部１４を係止できる形状であれば何でも良い。
またストッパー８の形成位置も図１では中腹部３のほぼ中央に形成されているが、前方部２と翼付針１０の装着形態に応じて自由に設定することができる。
また後方部４底部には図１（ｂ）のように針カバー１の長さ方向に沿って翼付針１０のチューブ１５を挿通することのできるスリット９が形成されている。
【０００６】
次に針カバー１を翼付針１０に装着して針カバー付翼付針１Ａを組立てる方法の一例について説明する。
図１（ａ）の向きの針カバー１の下から翼付針１０の針１２と針基１３を開口部５を経て針カバー１の内部に収納するとともにチューブ１５をスリット９を経て後方部４に装着する。この状態では、図２（ａ）のように針キャップ１６基部の外周面が前方部２内周面に接することにより翼付針１０が針カバー１に固定されるとともに針１２が針キャップ１６に被冠された状態に維持される。
【０００７】
以下、図３（ａ）から（ｇ）に基づいて針カバー付翼付針１Ａの使用方法の一例について時系列に説明する。
同（ａ）のように針カバー付翼状針１Ａを針カバー１の凸部７ａ、７ｂ、７ｃを上に向けた状態にする。
同（ｂ）のように左手（右手）の親指と人差し指で凸部７ｃの両側部を軽くつまみ、右手（左手）の親指と人差し指で翼部１４の両翼を挟んで上に向けて両翼を重ね合わせる。
同（ｃ）のように針キャップ１６をはずして翼付針１０の針１２を針カバー１より露出する。
同（ｄ）のように右手（左手）の親指と人差し指で翼部１４の両翼を上に向けて両翼を重ね合わせた状態で体勢を整えて患者の腕等に穿刺する。
同（ｅ）のように患者の腕等に穿刺した後、翼部１４を水平に戻して穿刺部位が動かないように翼部１４と皮膚をテープで固定する。
同（ｆ）のように穿刺した針カバー付翼付針１Ａの針１２を穿刺部から抜く時はテープを剥ぎ取り穿刺部に消毒綿をあて、左手（右手）の薬指で前記消毒綿の上から穿刺部を押さえるとともに中指と人差し指を凸部７ａと凸部７ｂないし凸部７ｂと凸部７ｃの間の壁面に添えて凸部７ａ、７ｂがそれぞれの指先に掛かるようにし、例えば図２（ｃ）のように右手（左手）で後方部４付近のチューブ１５を引っ張り翼付針１０を針カバー１内に収める。
同（ｇ）のように翼部１４の両翼を上側に折り曲げることにより、翼部１４は前記ストッパー８と交差して係止され、再び翼付針１０が針カバー１の前方部２方向にスライドすることがなく、翼付針１０の針１２が針カバー１より露出しない状態を維持できる。
【０００８】
また図５（ａ）、（ｂ）のように前記針カバー１の代わりに後方部４側の端部に突部８ｂを突設したストッパー８Ａを有する針カバー１１を使用し、ストッパー８Ａの両翼を図５（ｂ）のように下側に折り曲げることにより翼部１４にストッパー８Ａを係止することができる。
【０００９】
図６は本発明の針カバーの一例を示す概略図で（ａ）は本発明の針カバー２１の正面斜視図、（ｂ）は背面斜視図、（ｃ）は同（ａ）を１８０°反対方向から見た斜視図、（ｄ）は同（ｂ）を１８０°反対方向から見た斜視図、図７は図６の針カバー２１を翼付針１０（針基１３の前方に針１２を植設し、両側部に翼１４を装着し、前方外周面に針キャップ１６を装着し、後方外周面にチューブ１５を装着することにより形成されている）に装着したところの針カバー付翼付針１１Ａの断面図、図８は針カバー付翼付針１１Ａの使用方法の一例について時系列に示した斜視図である。図７（ａ）と図８（ａ）、図７（ｂ）と図８（ｅ）、図７（ｄ）と図８（ｇ）がそれぞれ対応している。
針カバー２１は前記針カバー１（１１）の翼状のストッパー８（８Ａ）を設ける代わりに略四角形状の翼状のストッパー８Ｂを中腹部３の両側部に突設したものである。
針カバー２１も針カバー１と同様に翼付針１０に装着して針カバー付翼付針１Ａと同様に針カバー付翼付針１１Ａを組み立てることができる。針カバー付翼付針１１Ａも図８（ａ）から（ｇ）のように針カバー付翼付針１Ａと同様に使用されるが、図３の針カバー付翼付針１Ａが図３（ｇ）のように翼部１４の両翼を上側に折り曲げるのに対し、針カバー付翼付針３１Ａは図８（ｇ）のようにストッパー８Ｂの両翼を下側に折り曲げて翼部１４を係止する点で異なっている。
【００１０】
図９は本発明の針カバーのその他の実施例を示す概略図で、（ａ）は針カバー３１の正面斜視図、（ｂ）は使用状態の断面図である。
針カバー３１は前記針カバー１のストッパー８の代わりに中腹部３の両側部に形成したストッパー８Ｃに前方部２側の端部と後方部４側の端部にそれぞれ切欠部８ｄを形成したものである。
針カバー３１も針カバー２１と同様に翼付針１０に装着して針カバー付翼付針（１１Ａ）を組み立てることができる。針カバー付翼付針（１１Ａ）も図８（ｇ）と同様にストッパー８Ｃの両翼を下側に折り曲げることにより翼部１４を係止することができるが針カバー３１を使用した針カバー付翼付針（１１Ａ）では図９（ｂ）のようにストッパー８Ｃの切欠部８ｄ、８ｄを相互にかみ合わせて係止することにより、下に折り曲げたストッパー８Ｃが再び元の位置に戻らないので翼部１４の係止をより確実に行うことができる。
【００１１】
図１０は本発明の針カバーのその他の実施例を示す概略図で、（ａ）は針カバー４１の正面斜視図、（ｂ）は背面斜視図、（ｃ）は断面図、（ｄ）は針カバー４１の使用状態の断面図である。
針カバー４１は前記針カバー１のストッパー８の代わりに中腹部３の両側部に形成したストッパー８Ｄにそれぞれ突部８ｅと溝部８ｆを形成したものである。針カバー４１も針カバー２１と同様に翼付針１０に装着して針カバー付翼付針（（１１Ａ））を組み立てることができる。
針カバー付翼付針（（１１Ａ））も針カバー付翼付針（１１Ａ）と同様にストッパー８Ｄの両翼を下側に折り曲げ、突部８ｅと溝部８ｆを嵌合することにより下に折り曲げたストッパー８Ｄが再び元の位置に戻らないようにすることができる。
【００１２】
図１１は本発明の針カバーのその他の実施例を示す概略図で、（ａ）は針カバー５１の正面斜視図、（ｂ）は背面斜視図、（ｃ）は断面図、（ｄ）は針カバー５１の使用状態の断面図である。
針カバー５１は前記針カバー１のストッパー８の代わりに中腹部３の両側部に形成したストッパー８Ｅの一方に針カバー５１の長さ方向に溝部８ｈを有する側板８ｇを形成したものである。針カバー５１も針カバー２１と同様に翼付針１０に装着して針カバー付翼付針（（（１１Ａ）））を組み立てることができる。
針カバー付翼付針（（（１１Ａ）））も針カバー付翼付針（１１Ａ）と同様にストッパー８Ｅの両翼を下側に折り曲げ、一方のストッパー８Ｅの端部８ｉを他方のストッパー８Ｅの溝部８ｈに嵌合することにより、下に折り曲げたストッパー８Ｅが再び元の位置に戻らないようにすることができる。
【００１３】
図１２は本発明のキャップ付針カバーの一例を示す概略図で（ａ）は本発明のキャップ付針カバー７１の正面斜視図、（ｂ）は背面斜視図、（ｃ）は同（ａ）を１８０°反対方向から見た斜視図、（ｄ）は同（ｂ）を１８０°反対方向から見た斜視図、図１３は図１２のキャップ付針カバー７１を翼付針１０（針基１３の前方に針１２を植設し、両側部に翼１４を装着し、後方外周面にチューブ１５を装着することにより形成されている）に装着したところの針カバー付翼付針２１Ａの断面図、図１４は針カバー付翼付針２１Ａの使用方法の一例について時系列に示した斜視図である。図１３（ａ）と図１４（ａ）、図１３（ｂ）と図１４（ｅ）、図１３（ｃ）と図１４（ｆ）がそれぞれ対応している。
本発明のキャップ付針カバー７１は前記針カバー１の前方部２の筒状先端にキャップ１８を着脱可能に装着したものである（キャップ１８は前記針カバー１１、２１、３１、４１、５１にも着脱可能に装着できる）。キャップ付針カバー７１も針カバー１と同様に翼付針１０に装着して針カバー付翼付針２１Ａを組み立てることができる。組み立てた状態では図１３（ａ）のように針基１３前方外周面がキャップ付針カバー７１前方部２内周面と接することにより翼付針１０とキャップ付針カバー７１は固定されるとともに針１２がキャップ付針カバー７１に被冠された状態に維持される。針カバー付翼付針２１Ａも図１４（ａ）から（ｇ）のように前記キャップ付針カバー１Ａと同様に使用されるが、針カバー付翼付針２１Ａは図１４（ｃ）のようにキャップ１８をはずして翼付針１０の針１２をキャップ付針カバー７１より露出する点で針カバー付翼付針１Ａと異なる。
【００１４】
図１５は本発明のキャップ付針カバーの一例を示す概略図で、（ａ）は本発明のキャップ付針カバー８１の正面斜視図、（ｂ）は背面斜視図、（ｃ）は同（ａ）を１８０°反対方向から見た斜視図、（ｄ）は同（ｂ）を１８０°反対方向から見た斜視図である。
図１６は本発明のその他の実施例を示すキャップ付針カバー８１を翼付針１０に装着したところの針カバー付翼付針３１Ａの断面図、図１７は針カバー付翼付針３１Ａの使用方法の一例について時系列に示した斜視図である。図１６（ａ）と図１７（ａ）、図１６（ｂ）と図１７（ｅ）がそれぞれ対応している。
本発明のキャップ付針カバー８１は前記針カバー１の前方部２の筒状先端に肉薄部２８ａを介してキャップ２８を一体に成形したものである（キャップ２８は前記針カバー１１、２１、３１、４１、５１の前方部２にも肉薄部２８ａを介して一体に成形できる）。一体に形成されたキャップ２８を容易に切り離すために前記キャップ２８の外周には少なくとも対称方向に２枚一組のリブ（図示せず）を設けることができる。キャップ付針カバー８１もキャップ付針カバー７１と同様に翼付針１０に装着して針カバー付翼付針３１Ａを組み立てることができる。針カバー付翼付針３１Ａも図１７（ａ）から（ｇ）のように前記針カバー付翼付針２１Ａと同様に使用されるが、針カバー付翼付針３１Ａは図１７（ｃ）のようにキャップ２８を肉薄部２８ａより切断して露出する点で針カバー付翼付針２１Ａと異なる。
【００１５】
また本発明の針カバー付翼付針２１Ａ、３１Ａも前記図４のように翼部１４の両翼を上側に折り曲げることにより翼部１４をストッパー８に係止することができる。
本発明では前記針カバー１１、２１、３１、４１、５１のストッパー８Ａ、８Ｂ、８Ｃ、８Ｄ、８Ｅの形態を前記針キャップ付針カバー７１、８１のストッパー８に代えてそれぞれ採用することができ、針カバー付翼付針２１Ａ、３１Ａのストッパー８Ａ、８Ｂ、８Ｃ、８Ｄ、８Ｅと翼付針１０の翼部１４の係止を前記針カバー付翼付針１Ａ、１１Ａ、（１１Ａ）、（（１１Ａ））、（（（１１Ａ）））と同様に行うことができる。
本発明では針カバー１、１１、２１、３１、４１、５１及びキャップ付針カバー７１（８１）の外面に形成する凸部７ａ、７ｂ、７ｃの形状、形成する位置及び装着する数は、図示したものに限定されず、要するに作業者が針カバー１を把持しやすい形状等であれば何でも採用することができる。
針カバー１、１１、２１、３１、４１、５１及びキャップ付針カバー７１（８１）のストッパー８（８Ａ、８Ｂ、８Ｃ、８Ｄ、８Ｅ）の形状、位置は図示したものに限定されず、要するに
（ａ）針カバー１、１１、２１、３１、４１、５１及びキャップ付針カバー７１（８１）と翼付針１０の組み立て時では針カバー１、１１、２１、３１、４１、５１及びキャップ付針カバー７１（８１）と翼付針１０を動かないように固定でき、
（ｂ）使用時には針キャップ１６（キャップ１８、２８）をとりはずすことにより翼付針１０の針１２を針カバー１、１１、２１、３１、４１、５１及びキャップ付針カバー７１（８１）から露出でき、
（ｃ）使用後には翼付針１０を針カバー１、１１、２１、３１、４１、５１及びキャップ付針カバー７１（８１）の前方部２方向に動かないように固定できるものであれば前記各形態の組み合わせを何でも採用することができる。
【００１６】
本発明で「スライド」させるとは針カバー１、１１、２１、３１、４１、５１及びキャップ付針カバー７１（８１）を基点として翼付針１０を針カバー１、１１、２１、３１、４１、５１及びキャップ付針カバー７１（８１）の後方に向けてスライドさせることはもちろん、翼付針１０を基点として針カバー１、１１、２１、３１、４１、５１及びキャップ付針カバー７１（８１）を翼付針１０の前方に向けてスライドさせることの両方の意味を含む。
本発明では図３の使用方法の説明の便宜上、主に前者で記載しているが、後者のように使用することができる。
また本発明で図示した前方部２、中腹部３、後方部４の各領域は一応の目安であり、要するに凸部７ａを形成した領域が前方部２であり、凸部７ｂと開口部５とストッパー８を形成した領域が中腹部３であり、凸部７ｃとスリット９を形成した領域が後方部４である。したがって凸部７ａ、７ｂ、７ｃ、スリット９を形成する位置、開口部５の長さにより、前方部２、中腹部３、後方部４の各領域は変動しても良い。
【００１７】
前記針カバー１、１１、２１、３１、４１、５１及びキャップ付針カバー７１（８１）に使用される材質は例えばポリプロピレン、ポリエチレン、ポリ塩化ビニル、ポリアセテート等の半硬質ないし硬質製であれば何でも良い。
【００１８】
【発明の作用効果】
本発明の針カバー及びキャップ付針カバー並びに針カバー付翼付針では、
▲１▼翼付針１０を針カバー１、１１、２１、３１、４１、５１及びキャップ付針カバー７１（８１）の前方部２方向または逆方向に単に直線的にスライドさせることにより針を被冠することができるので操作性が良い。
▲２▼針カバー１、１１、２１、３１、４１、５１及びキャップ付針カバー７１（８１）の外面に凸部７ａ、７ｂ、７ｃを形成しているので作業中に固定しやすく、翼付針１０をスライドさせやすい。
▲３▼キャップ付針カバー８１は針の保護と針カバーのスライドを一部品で同時に行うことができるので、部品点数を少数化でき、操作性も向上する。
▲４▼（ａ）針カバー１、１１、２１、３１、４１、５１及びキャップ付針カバー７１（８１）と翼付針１０の組み立て時では針カバー１、１１、２１、３１、４１、５１及びキャップ付針カバー７１（８１）と翼付針１０を動かないように固定でき、
（ｂ）使用時には針キャップ１６（キャップ１８、２８）をとりはずすことにより針１２を針カバー１、１１、２１、３１、４１、５１及びキャップ付針カバー７１（８１）から容易に露出でき、
（ｃ）使用後には翼付針１０が針カバー１、１１、２１、３１、４１、５１及びキャップ付針カバー７１（８１）の前方部２方向に動かないように固定できる、すなわち翼付針１０の翼部１４が針カバー１、１１、２１、３１、４１、５１及びキャップ付針カバー７１（８１）の側面に設けられたストッパー８、８Ａ、８Ｂ、８Ｃ、８Ｄ、８Ｅと交差して係止されることにより針１２の露出を防止することができ、廃棄の際の医療従事者や廃棄企業者が作業中に誤って刺してしまう危険を防ぐことができる。
【図面の簡単な説明】
【図１】本発明の針カバーの一例を示す概略図
（ａ）は本発明の針カバー１の正面斜視図、（ｂ）は背面斜視図、（ｃ）は同（ａ）を１８０°反対方向から見た斜視図、（ｄ）は同（ｂ）を１８０°反対方向から見た斜視図
【図２】図１の針カバー１を翼付針１０に装着したところの針カバー付翼付針１Ａの断面図
【図３】針カバー付翼付針１Ａの使用方法の一例について時系列（（ａ）から（ｇ））に示した斜視図
【図４】図３の（ｆ）、（ｇ）に対応する平面図
【図５】本発明の針カバーの一例を示す平面図
【図６】本発明の針カバーの一例を示す概略図
（ａ）は本発明の針カバー２１の正面斜視図、（ｂ）は背面斜視図、（ｃ）は同（ａ）を１８０°反対方向から見た斜視図、（ｄ）は同（ｂ）を１８０°反対方向から見た斜視図
【図７】図６の針カバー２１を翼付針１０に装着したところの針カバー付翼付針１１Ａの断面図
【図８】針カバー付翼付針１１Ａの使用方法の一例について時系列（（ａ）から（ｇ））に示した斜視図
【図９】本発明の針カバーのその他の実施例を示す概略図
（ａ）は針カバー３１の正面斜視図、（ｂ）は使用状態の断面図
【図１０】本発明の針カバーのその他の実施例を示す概略図
（ａ）は針カバー４１の正面斜視図、（ｂ）は背面斜視図、（ｃ）は断面図、（ｄ）は針カバー４１の使用状態の断面図
【図１１】本発明の針カバーのその他の実施例を示す概略図
（ａ）は針カバー５１の正面斜視図、（ｂ）は背面斜視図、（ｃ）は断面図、（ｄ）は針カバー５１の使用状態の断面図
【図１２】本発明のキャップ付針カバーの一例を示す概略図
（ａ）は本発明のキャップ付針カバー７１の正面斜視図、（ｂ）は背面斜視図、（ｃ）は同（ａ）を１８０°反対方向から見た斜視図、（ｄ）は同（ｂ）を１８０°反対方向から見た斜視図
【図１３】図１２のキャップ付針カバー７１を翼付針１０に装着したところの針カバー付翼付針２１Ａの断面図
【図１４】針カバー付翼付針２１Ａの使用方法の一例について時系列（（ａ）から（ｇ））に示した斜視図
【図１５】本発明のキャップ付針カバーの一例を示す概略図
（ａ）は本発明のキャップ付針カバー８１の正面斜視図、（ｂ）は背面斜視図、（ｃ）は同（ａ）を１８０°反対方向から見た斜視図、（ｄ）は同（ｂ）を１８０°反対方向から見た斜視図
【図１６】本発明のその他の実施例を示すキャップ付針カバー８１を翼付針１０に装着したところの針カバー付翼付針３１Ａの断面図
【図１７】針カバー付翼付針３１Ａの使用方法の一例について時系列（（ａ）から（ｇ））に示した斜視図
【符号の説明】
１、１１、２１、３１、４１、５１  針カバー
７１、８１  キャップ付針カバー
１Ａ、１１Ａ、２１Ａ、３１Ａ  針カバー付翼付針
２  前方部
３  中腹部
４  後方部
５  開口部
７ａ、７ｂ、７ｃ  凸部
８、８Ａ、８Ｂ、８Ｃ、８Ｄ、８Ｅ  ストッパー
８ａ  切欠部
８ｂ  突部
８ｄ  切欠部
８ｅ  突部
８ｆ  溝部
８ｇ  側板
８ｈ  溝部
８ｉ  端部（８Ｅ）
９  スリット
１０  翼付針
１２  針
１３  針基
１４  翼部
１５  チューブ
１６  針キャップ
１８、２８  キャップ
２８ａ  肉薄部
【図１】
0004680349.tif 000002
【図２】
0004680349.tif 000003
【図３】
0004680349.tif 000004
【図４】
0004680349.tif 000005
【図５】
0004680349.tif 000006
【図６】
0004680349.tif 000007
【図７】
0004680349.tif 000008
【図８】
0004680349.tif 000009
【図９】
0004680349.tif 000010
【図１０】
0004680349.tif 000011
【図１１】
0004680349.tif 000012
【図１２】
0004680349.tif 000013
【図１３】
0004680349.tif 000014
【図１４】
0004680349.tif 000015
【図１５】
0004680349.tif 000016
【図１６】
0004680349.tif 000017
【図１７】
0004680349.tif 000018